(57)【要約】【課題】リモコン本体の表裏面を安定した状態で操作することができるリモコン装置を提供する。【解決手段】リモコン装置１は、建物の壁面３に固定されるリモコン取付具４０と、リモコン取付具４０に着脱自在に設置されるリモコン本体１０とを備えたリモコン装置であり、リモコン取付具４０は、リモコン本体１０を下方より支持する支持部４２を備えている一方、リモコン本体１０は、厚さ方向の中間部に、支持部４２のすくなくとも一部が係合する係合受部１１を備え、リモコン取付具４０に表裏反転自在に支持、設置され得る。【選択図】図１
2019129481.tif 000002
【特許請求の範囲】
【請求項１】
建物の壁面に固定されるリモコン取付具と、該リモコン取付具に着脱自在に設置されるリモコン本体とを備えたリモコン装置であって、
前記リモコン取付具は、前記リモコン本体を下方より支持する支持部を備えている一方、
前記リモコン本体は、厚さ方向の中間部に、前記支持部のすくなくとも一部が係合する係合受部を備え、前記リモコン取付具に表裏反転自在に支持、設置され得ることを特徴とするリモコン装置。
【請求項２】
請求項１において、
前記支持部は、前記リモコン本体が載置される載置板部と、該載置板部における前記壁面側の端部から離間した位置より上方に突出した棒状突起とを備えており、
前記係合受部は該棒状突起を受け入れる凹部とされることを特徴とするリモコン装置。
【請求項３】
請求項１または２において、
前記リモコン本体の表面には、主操作スイッチ群が配設されている一方、
前記リモコン本体の裏面には、副操作スイッチ群、および、電池の着脱口のすくなくとも一方が配設されていることを特徴とするリモコン装置。
【発明の詳細な説明】
【技術分野】
【０００１】
本発明は、壁面に固定されるリモコン取付具と、それに設置されるリモコン本体とを備えたリモコン装置に関する。
【背景技術】
【０００２】
従来のこの種のリモコン装置として、リモコン取付具に対し、リモコン本体を着脱自在に設置できるものが提案されている（たとえば、特許文献１参照）。このものによれば、リモコン本体を壁面に設置した状態、取り外した状態のいずれにおいても操作することができるというメリットがある。
【先行技術文献】
【特許文献】
【０００３】
【特許文献１】特開２００９−１５２９４５号公報
【発明の概要】
【発明が解決しようとする課題】
【０００４】
ところでリモコン装置としては、リモコン本体の表面に洗浄スイッチなどの主操作スイッチが配設してある一方、裏面には電池の着脱口や、頻繁に使用しない副操作スイッチ、たとえば局部洗浄水の温度設定用の設定スイッチ等が配設してあるものもある。したがって、リモコン本体をリモコン取付具より取り外しリモコン本体を片手で持てば、裏面のスイッチの操作をすることができる。
【０００５】
しかしながら、リモコン本体を片手で持った状態では、電池交換や小さなスイッチの操作のように操作がしにくくなる可能性がある。また、両手で操作をしようとすれば、リモコン本体を便蓋上面や床面等に置かなければならないため、その場合でも操作はしにくくなる。
【０００６】
本発明は、このような事情を考慮して提案されたもので、その目的は、リモコン本体の表裏面を安定した状態で操作することができるリモコン装置を提供することにある。
【課題を解決するための手段】
【０００７】
上記目的を達成するために、本発明のリモコン装置は、建物の壁面に固定されるリモコン取付具と、リモコン取付具に着脱自在に設置されるリモコン本体とを備えたリモコン装置であって、リモコン取付具は、リモコン本体を下方より支持する支持部を備えている一方、リモコン本体は、厚さ方向の中間部に、支持部のすくなくとも一部が係合する係合受部を備え、リモコン取付具に表裏反転自在に支持、設置され得ることを特徴とする。
【発明の効果】
【０００８】
本発明のリモコン装置は上述した構成であるため、リモコン本体の表裏面を安定した状態で操作することができる。
【図面の簡単な説明】
【０００９】
【図１】本発明の一実施形態に係るリモコン装置の説明図である。（ａ）は同リモコン装置の構成部材であるリモコン本体の斜視図、（ｂ）は同リモコン装置の他の構成部材であるリモコン取付具の斜視図である。
【図２】（ａ）は同リモコン本体の正面図（表面側を示した図）、（ｂ）は同背面図（裏面側を示した図）、（ｃ）は同平面図、（ｄ）は同底面図および部分拡大図、（ｅ）は（ａ）におけるＡ−Ａ線に対応した断面図である。
【図３】（ａ）はリモコン本体の表面を表に向けた場合の取り付け態様を示した側面図、（ｂ）はリモコン本体の裏面を表に向けた場合の取り付け態様を示した側面図である。
【図４】本発明の他の実施形態に係るリモコン装置の説明図である。（ａ）は同リモコン装置の構成部材であるリモコン本体の斜視図、（ｂ）は同リモコン装置の他の構成部材であるリモコン取付具の斜視図である。
【図５】本発明のさらに他の実施形態に係るリモコン装置の説明図である。（ａ）は同リモコン装置の構成部材であるリモコン本体の斜視図、（ｂ）は同リモコン装置の他の構成部材であるリモコン取付具の斜視図である。
【発明を実施するための形態】
【００１０】
以下に、本発明の実施の形態について、添付図面にもとづいて説明する。まず、以下の複数の実施形態（図１、図４および図５）に係るリモコン装置１の共通の基本構成について説明する。
【００１１】
リモコン装置１は、建物の壁面３に固定されるリモコン取付具４０と、リモコン取付具４０に着脱自在に設置されるリモコン本体１０とを備えた装置である。リモコン取付具４０は、リモコン本体１０を下方より支持する支持部４２を備えている。一方、リモコン本体１０は、厚さ方向の中間部に、支持部４２のすくなくとも一部が係合する係合受部１１、１２を備え、リモコン取付具４０に表裏反転自在に支持、設置され得る。
【００１２】
図１、図４および図５に示した３種のリモコン装置１は、リモコン本体１０についてはおおむね同形状とされ、特に表裏面の操作スイッチ等の配置については３種ともに同一である。
【００１３】
ついで、各実施形態のリモコン装置１について説明する。
【００１４】
図１〜図３に示したリモコン装置１は、横長の略直方体形状のリモコン本体１０と、リモコン取付具４０とを備えている。
【００１５】
リモコン本体１０の外面には種々のスイッチが配されている。具体的には、前方に向けて下り傾斜した上面１０ｃに、大小洗浄用の２つの便器洗浄スイッチ１８と、便座開閉スイッチ１９と、便蓋開閉スイッチ２０とが配されている。
【００１６】
またリモコン本体１０の表面１０ａ（正面）には、主操作スイッチ群１５が配設されている一方、裏面１０ｂ（背面）に副操作スイッチ群１６、および、電池を内装した電池部１７の着脱口１７ａが配設されている。
【００１７】
主操作スイッチ群１５は、上面１０ｃに配したスイッチと同様に、おもに便器の使用の都度、頻繁に操作されるスイッチ群である（図１（ａ）および図２（ａ）参照）。本例では主操作スイッチ群１５として、局部洗浄スイッチ２３、ビデ洗浄スイッチ２４、乾燥スイッチ２５、停止スイッチ２２が配されている。さらに、ランプ付き個人設定スイッチ２６（あらかじめ個人に紐づけて洗浄強さや洗浄位置を変更できるスイッチ）、ランプ付き洗浄強さ（水勢）設定スイッチ２７およびプライバシー音発生スイッチ２８が配されている。
【００１８】
副操作スイッチ群１６としては、頻繁に使用されないスイッチが挙げられる（図２（ｂ）参照）。本例では副操作スイッチ群１６として、ノズル掃除設定スイッチ、温水温度設定スイッチ、便座温度設定スイッチ、洗浄位置設定スイッチ、パワー脱臭設定スイッチなどが配されている。
【００１９】
また、電池部１７はリモコン本体１０の下部に配されており、その着脱口１７ａおよびそれを塞ぐ開閉蓋１７ｂが、副操作スイッチ群１６に隣接して併設されている。開閉蓋１７ｂは、下方にずらすことで裏面１０ｂから下面１０ｄにかけて着脱口１７ａが開口するスライド蓋とされる（図２（ｂ）（ｄ）（ｅ）参照）。
【００２０】
さらに、リモコン本体１０の上面１０ｃの左右両端から側面１０ｅにいたる両角部には、無線信号発信部２１が配設されている。なお、便器本体（不図示）には、無線信号発信部２１から発信される信号を受信する受信部（不図示）が配設されている。
【００２１】
リモコン本体１０の内部は、電池部１７や電子基板（不図示）等が配設された空間１４とされており（図２（ｅ）参照）、その空間１４には円筒状の凸部が下面側より突出形成してある。この円筒部１１は、下面１０ｄに開口１１ａを有した凹部を内部に有しており、この凹部が、上述したリモコン取付具４０の支持部４２の一部を開口１１ａより受け入れる係合受部として構成されている。
【００２２】
この円筒部（凹部）１１（およびその開口１１ａ）は、上述したように、リモコン本体１０の厚さ方向の中間部に配されている。より具体的な配設位置については、図３の説明とともに後述する。
【００２３】
一方、リモコン取付具４０は、壁面３に固定される平板状の取付部４１と、リモコン本体１０を載せ置くための載置板部４３と、載置板部４３の長手方向の両端部側の上面に配された棒状突起４４とを有してなる。この載置板部４３と、２つの棒状突起４４とで支持部４２が構成される。つまり、リモコン本体１０は、上方より垂直方向に移動するようにして、リモコン取付具４０に対して取り付けられ、支持部４２により下方より支持される。
【００２４】
支持部４２の一部である棒状突起４４が係合部として作用してリモコン本体１０の係合受部１１に係合し、リモコン本体１０は載置板部４３に載せ置かれることで、壁面３に間接的に配設される。
【００２５】
本実施形態に係るリモコン本体１０は、図１に示すように表面１０ａを前に向けて設置されるだけではなく、裏返して裏面１０ｂを前に向けても設置され得る。それら２種の設置態様について、図３を参照しながら説明する。図３（ａ）はリモコン本体１０の表面１０ａを前に向けた設置態様図であり、図３（ｂ）は裏面１０ｂを前に向けた設置態様図である。
【００２６】
リモコン本体１０をリモコン取付具４０に表裏反転自在に設置できるようにするためには、リモコン本体１０とリモコン取付具４０との間で、つぎのような寸法関係が必要とされる。
【００２７】
図２（ｄ）（ｅ）および図３に示すように、円筒部１１の開口１１ａの裏面側開口縁部１１ｂから裏面１０ｂまでの厚さ寸法をＬ１とし、円筒部１１の表面側開口縁部１１ｃから表面１０ａまでの厚さ寸法をＬ２とする。そのいずれの厚さ寸法Ｌ１、Ｌ２もリモコン取付具４０の取付部４１と棒状突起４４との間の寸法Ｌ３より小または同じ寸法とされる。つまり、リモコン本体１０が表裏反転自在に設置され得るようにするには、Ｌ１≦Ｌ３、Ｌ２≦Ｌ３の大小関係が必要とされる。なお、裏面側開口縁部１１ｂおよび表面側開口縁部１１ｃは、図２（ｄ）に示すように、側面１０ｅに平行な開口１１ａの中心線Ｃと、開口１１ａの円形状との交点とされる。
【００２８】
このような寸法関係であるから、図３（ａ）（ｂ）に示すように、リモコン本体１０をリモコン取付具４０に対して、表面１０ａを前に向けた状態でも、裏面１０ｂを前に向けた状態でも設置することができる。
【００２９】
なお寸法Ｌ１と寸法Ｌ２とをほぼ同じ寸法とし、どちらの面を前に向けてもリモコン本体１０が取付部４１の表面とほぼ接触する（Ｌ１とＬ２とＬ３との値が相互にほぼ一致する）ようにすることが望ましい。このようにすれば、主操作スイッチ群１５、副操作スイッチ群１６のどちらの操作をするときも操作がしやすくなり好ましいが、これらは同一値でなくてもよい。図例のものでは、Ｌ２はＬ１よりもやや小さく、そのため、表面１０ａを前に向けた設置では、リモコン本体１０の裏面１０ｂと取付部４１の表面とがほぼ接触した状態なる（図３（ａ）参照）。一方、リモコン本体１０の裏面１０ｂを前に向けた設置では、リモコン本体１０の表面１０ａと取付部４１の表面との間にわずかな隙間Ｓが形成される（図３（ｂ）参照）。
【００３０】
このように、リモコン本体１０をリモコン取付具４０に対し表裏反転自在に設置できる構成であるため、リモコン本体１０を壁面３に設置した状態で種々の操作をすることができる。特に、リモコン本体１０の裏面１０ｂには多くの小さな設定スイッチがあるため、リモコン本体１０を手に持った状態よりも操作がしやすくなる。また電池交換についても、リモコン本体１０を便蓋上面や床面に置くことなく、両手で電池の着脱を実施することができる。
【００３１】
また、棒状突起４４が円筒部（凹部）１１に係合する構成であるため、それによりリモコン本体１０の左右方向の位置決めがされ得る。したがって、リモコン取付具４０には、リモコン本体１０の左右のずれを防止するための側板が必要なく、形状をシンプルにすることができる。また、リモコン本体１０の側面１０ｅが露出するので、側面１０ｅに他の操作スイッチを配したり、側面１０ｅの中央部に無線信号発信部２１を配したりすることもできる。
【００３２】
なお、棒状突起４４は図１のような円柱状のものに限定するものではなく、角柱状や断面楕円の円柱状のものでもよい。また、棒状突起４４をリモコン取付具４０の幅方向に細長く形成することにより、棒状突起４４の形成を１つに減らすこともできる。なおこれらのいずれも、凹部（係合受部）１１の形状は、棒状突起４４と形状とほぼ同じ形状でやや大きく形成すればよい。
【００３３】
図１のリモコン装置１とおおむね同構成のものとして、図４の例のものが挙げられる。このリモコン装置１は、リモコン本体１０は図１のものと同一とされる一方、リモコン取付具４０は図１のものとは異なる。すなわち図４（ｂ）に示すように、リモコン取付具４０は２つの同形状の取付具に分離されており、それぞれの分離取付具４０ａは、取付部４１と載置板部４３とが略Ｌ字形状とされ、載置板部４３の上面に棒状突起４４が起立形成された構成とされている。
【００３４】
図４のリモコン装置１について、支持部４２の一部とされる棒状突起４４（係合部）と、その係合部４４を係合受け入れする係合受部１１との関係については、図１のものと同様である。したがって、図１のものと同様の効果が奏される。
【００３５】
また、本実施形態のものはリモコン取付具４０を少ない材料で形成できるので、製造コストを抑えられる。両分離取付具４０ａとして同形状、同寸法のもの使用できるため、部材が図１のものより１点増えるが在庫管理が煩雑化するおそれはない。さらに、分離取付具４０ａは、図１のリモコン取付具４０にくらべ十分に小さいので、在庫スペースや梱包箱も小さくすることができる。
【００３６】
以上には、リモコン本体１０の下面１０ｄを被支持部１３としてリモコン取付具４０により支持する２例を例示したが、図５に示したリモコン装置１のように、側面１０ｅを支持するものであってもよい。
【００３７】
図５のリモコン本体１０は、その側面１０ｅに係合受部とされる縦溝１２を有している。この縦溝１２は下端側が開口している一方、上端側は閉塞している。この閉塞部１２ａが被支持部１３とされる。
【００３８】
一方、リモコン取付具４０は、壁面３に固定するための取付部４１と、左右の側板部４５と、側板部４５の前端より向き合うように突出した縦突条４６とを有している。側板部４５と縦突条４６とよりリモコン本体１０を支持する支持部４３を構成する。
【００３９】
支持部４３の一部である縦突条４６が係合部とされ、この係合部がリモコン本体１０の係合受部１２に係合し、リモコン本体１０の縦溝１２の閉塞部１２ａ（被支持部１３）を下方より支持することで、リモコン本体１０は壁面３に間接的に配設される。
【００４０】
リモコン本体１０は、リモコン取付具４０に平行に上方よりスライドするようにして取り付けることができる。なお、リモコン取付具４０の正面側よりリモコン本体１０を押し込んで弾性取り付けするようにすることもできる。
【００４１】
リモコン本体１０を表裏反転自在に取り付けできるようにするために、縦溝１２の溝幅方向の端縁１２ｂのそれぞれの外側の厚さ寸法Ｌ１、Ｌ２と、リモコン取付具４０の取付部４１、縦突条４６間の寸法Ｌ３との関係は、Ｌ１≦Ｌ３、Ｌ２≦Ｌ３とされている。
【００４２】
このリモコン装置１についても、以上のような構成であるため、図１および図４のものとおおむね同様の効果を奏する。また、このリモコン装置１はリモコン本体１０をリモコン取付具４０に設置した状態でもリモコン本体１０の下方が開放されている。そのため、裏面１０ｂを前に向けて電池交換する場合に、開閉蓋１７ｂのスライド操作が特にしやすい。
【００４３】
また、図５に示したリモコン取付具４０は一体のものであるが、図４に示したもののように、左右に分離されたものであってもよい。
【００４４】
また、以上には、リモコン本体１０を上下方向に移動させてリモコン取付具４０に対し着脱できるものを示したが、横方向（リモコン本体１０の幅方向）に移動させて着脱できるものであってもよい。たとえば、図１のリモコン取付具４０の載置板部４１上に、棒状突起４４に代えて、幅方向に走る横リブを設け、その横リブに対し、底部に横溝よりなる凹部を形成したリモコン本体を設置できるようにしたものでもよい。そのようなリモコン装置によれば、リモコン本体を下方へのスライド、幅方向へのスライドのいずれの操作でも設置することができる。
【符号の説明】
【００４５】
１          リモコン装置
３          壁面
１０        リモコン本体
１０ａ      表面
１０ｂ      裏面
１０ｃ      上面
１０ｄ      下面
１０ｅ      側面
１１        円筒部（凹部）（係合受部）
１１ａ      開口
１２        縦溝（係合受部）
１３        被支持部
１５        主操作スイッチ群
１６        副操作スイッチ群
１７        電池部
１７ａ      着脱口
１７ｂ      開閉蓋
４０        リモコン取付具
４１        取付部
４２        支持部
４３        載置板部
４４        棒状突起（係合部）
４５        側板部
４６        縦突条（係合部）
【図１】
2019129481.tif 000003
【図２】
2019129481.tif 000004
【図３】
2019129481.tif 000005
【図４】
2019129481.tif 000006
【図５】
2019129481.tif 000007